(57)【要約】【課題】ユーザが所望する測定条件での測定を起動後すぐに開始させることができる測定装置及び測定方法を提供する。【解決手段】スペクトラムアナライザ１０は、装置の起動時に予め定められた起動処理を実行する起動処理部５２と、測定条件を定めるパラメータが登録された少なくとも１つのパラメータファイルを記憶するパラメータファイル記憶部１２と、起動処理の実行中に、パラメータファイル記憶部１２に記憶されたパラメータファイルの一覧７０を表示する表示装置４０と、表示装置４０により表示されたパラメータファイルの一覧７０から１つのパラメータファイルを選択するパラメータファイル選択部１１ａと、パラメータファイル選択部１１ａにより選択されたパラメータファイルに登録されたパラメータを起動処理の実行中に設定するパラメータ処理部５３と、を備える。【選択図】図１
2018004481.tif 000002
【特許請求の範囲】
【請求項１】
所定の測定条件に基づいて被測定物を測定する測定装置（１０）であって、
前記測定装置の起動時に予め定められた起動処理を実行する起動処理実行手段（５２）と、
前記測定条件を定めるパラメータが登録された少なくとも１つのパラメータファイルを記憶するパラメータファイル記憶手段（１２）と、
前記起動処理の実行中に、前記パラメータファイル記憶手段に記憶された前記パラメータファイルの一覧（７０）を表示するパラメータファイル表示手段（４０）と、
前記パラメータファイル表示手段により表示された前記パラメータファイルの一覧から１つのパラメータファイルを選択するパラメータファイル選択手段（１１ａ）と、
前記パラメータファイル選択手段により選択された前記パラメータファイルに登録されたパラメータを前記起動処理の実行中に設定するパラメータ設定手段（５３）と、
を備えたことを特徴とする測定装置。
【請求項２】
前記パラメータファイル表示手段は、前記起動処理の実行中であることを示す起動画面（６０）に前記パラメータファイルの一覧を表示するものであることを特徴とする請求項１に記載の測定装置。
【請求項３】
所定の測定条件に基づいて被測定物を測定する測定装置（１０）を用いた測定方法であって、
前記測定装置の起動時に予め定められた起動処理を実行する起動処理実行ステップ（Ｓ２０）と、
前記起動処理の実行中に、前記測定条件を定めるパラメータが登録された少なくとも１つのパラメータファイルの一覧（７０）を表示するパラメータファイル表示ステップ（Ｓ１５）と、
前記パラメータファイル表示ステップにおいて表示された前記パラメータファイルの一覧から１つのパラメータファイルを選択するパラメータファイル選択ステップ（Ｓ１６）と、
前記パラメータファイル選択ステップにおいて選択された前記パラメータファイルに登録されたパラメータを前記起動処理の実行中に設定するパラメータ設定ステップ（Ｓ１７）と、
を含むことを特徴とする測定方法。
【請求項４】
前記パラメータファイル表示ステップにおいて、前記起動処理の実行中であることを示す起動画面（６０）に前記パラメータファイルの一覧を表示することを特徴とすることを特徴とする請求項３に記載の測定方法。
【発明の詳細な説明】
【技術分野】
【０００１】
本発明は、例えば、所定の通信規格に基づいて信号を測定する測定装置及び測定方法に関する。
【背景技術】
【０００２】
従来、この種の測定装置としては、各種通信規格に基づく被測定物の各種測定を行うネットワーク試験装置が知られている（例えば、特許文献１参照）。
【０００３】
特許文献１に記載された従来のものは、被測定物に対してどのような測定を行いたいかを示す設定ファイルと、予め定められた自己診断実行条件を満たしているか否かを判断する処理制御部と、を備えている。
【０００４】
この構成により、従来のものは、処理制御部が、装置の起動時に自己診断実行条件を満たしていると判断すると自己診断を実行し、自己診断が終了すると装置の起動処理を終了し、設定ファイルの設定に基づく被測定物の測定処理動作に移行する。
【０００５】
一方、従来のものは、処理制御部が、装置の起動時に自己診断実行条件を満たしていないと判断すると自己診断を実行せず装置の起動処理を終了し、設定ファイルの設定に基づく被測定物の測定処理動作に即座に移行する。
【０００６】
したがって、従来のものは、自己診断実行条件を満たしたときのみ自己診断が実行されるので、起動時間を短縮して速やかに装置を使用可能にすることができる。
【先行技術文献】
【特許文献】
【０００７】
【特許文献１】特開２０１６−０１９１８２号公報
【発明の概要】
【発明が解決しようとする課題】
【０００８】
しかしながら、従来のものでは、起動時間を短縮することは可能となったが、起動後に設定ファイルに設定された測定条件が適用されるので、ユーザが所望する測定条件での測定を起動直後に開始させることができない場合があった。その場合には、従来のものでは、ユーザが所望する測定条件での設定を新たに行わせる必要があり、起動後すぐに測定を開始させることができないという課題があった。
【０００９】
本発明は、従来の課題を解決するためになされたものであり、ユーザが所望する測定条件での測定を起動後すぐに開始させることができる測定装置及び測定方法を提供することを目的とする。
【課題を解決するための手段】
【００１０】
本発明の請求項１に係る測定装置は、所定の測定条件に基づいて被測定物を測定する測定装置（１０）であって、前記測定装置の起動時に予め定められた起動処理を実行する起動処理実行手段（５２）と、前記測定条件を定めるパラメータが登録された少なくとも１つのパラメータファイルを記憶するパラメータファイル記憶手段（１２）と、前記起動処理の実行中に、前記パラメータファイル記憶手段に記憶された前記パラメータファイルの一覧（７０）を表示するパラメータファイル表示手段（４０）と、前記パラメータファイル表示手段により表示された前記パラメータファイルの一覧から１つのパラメータファイルを選択するパラメータファイル選択手段（１１ａ）と、前記パラメータファイル選択手段により選択された前記パラメータファイルに登録されたパラメータを前記起動処理の実行中に設定するパラメータ設定手段（５３）と、を備えた構成を有している。
【００１１】
この構成により、本発明の請求項１に係る測定装置は、起動処理の実行中に、表示されたパラメータファイルの一覧から１つのパラメータファイルを選択させ、選択されたパラメータファイルに登録されたパラメータを起動処理の実行中に設定するので、ユーザが所望する測定条件での測定を起動後すぐに開始させることができる。
【００１２】
本発明の請求項２に係る測定装置は、前記パラメータファイル表示手段は、前記起動処理の実行中であることを示す起動画面（６０）に前記パラメータファイルの一覧を表示するものである構成を有している。
【００１３】
この構成により、本発明の請求項２に係る測定装置は、起動画面にパラメータファイルの一覧を表示し、表示されたパラメータファイルの一覧から１つのパラメータファイルを選択させ、選択されたパラメータファイルに登録されたパラメータを起動処理の実行中に設定するので、ユーザが所望する測定条件での測定を起動後すぐに開始させることができる。
【００１４】
本発明の請求項３に係る測定方法は、所定の測定条件に基づいて被測定物を測定する測定装置（１０）を用いた測定方法であって、前記測定装置の起動時に予め定められた起動処理を実行する起動処理実行ステップ（Ｓ２０）と、前記起動処理の実行中に、前記測定条件を定めるパラメータが登録された少なくとも１つのパラメータファイルの一覧（７０）を表示するパラメータファイル表示ステップ（Ｓ１５）と、前記パラメータファイル表示ステップにおいて表示された前記パラメータファイルの一覧から１つのパラメータファイルを選択するパラメータファイル選択ステップ（Ｓ１６）と、前記パラメータファイル選択ステップにおいて選択された前記パラメータファイルに登録されたパラメータを前記起動処理の実行中に設定するパラメータ設定ステップ（Ｓ１７）と、を含む構成を有している。
【００１５】
この構成により、本発明の請求項３に係る測定方法は、起動処理の実行中に、表示されたパラメータファイルの一覧から１つのパラメータファイルを選択させ、選択されたパラメータファイルに登録されたパラメータを起動処理の実行中に設定するので、ユーザが所望する測定条件での測定を起動後すぐに開始させることができる。
【００１６】
本発明の請求項４に係る測定方法は、前記パラメータファイル表示ステップにおいて、前記起動処理の実行中であることを示す起動画面（６０）に前記パラメータファイルの一覧を表示する構成を有している。
【００１７】
この構成により、本発明の請求項４に係る測定方法は、起動画面にパラメータファイルの一覧を表示し、表示されたパラメータファイルの一覧から１つのパラメータファイルを選択させ、選択されたパラメータファイルに登録されたパラメータを起動処理の実行中に設定するので、ユーザが所望する測定条件での測定を起動後すぐに開始させることができる。
【発明の効果】
【００１８】
本発明は、ユーザが所望する測定条件での測定を起動後すぐに開始させることができるという効果を有する測定装置及び測定方法を提供することができるものである。
【図面の簡単な説明】
【００１９】
【図１】本発明に係る測定装置の一実施形態であるスペクトラムアナライザのブロック構成図である。
【図２】本発明に係る測定装置の一実施形態であるスペクトラムアナライザにおける起動画面の一例を示す図である。
【図３】本発明に係る測定装置の一実施形態であるスペクトラムアナライザにおけるフローチャートである。
【発明を実施するための形態】
【００２０】
以下、本発明の実施形態について図面を用いて説明する。なお、本発明の測定装置をスペクトラムアナライザに適用した例を挙げて説明する。
【００２１】
まず、本発明の一実施形態におけるスペクトラムアナライザの構成について説明する。
【００２２】
図１に示すように、本実施形態におけるスペクトラムアナライザ１０は、ＲＦ（Radio Frequency）処理部２０、信号処理部３０、表示装置４０、制御部５０、操作部１１、パラメータファイル記憶部１２を備えている。スペクトラムアナライザ１０は、図示しないＣＰＵと、ＲＯＭと、ＲＡＭと、各種インタフェースが接続される入出力回路等を備えたマイクロコンピュータを含む。スペクトラムアナライザ１０は、ＲＯＭに予め格納された制御プログラムを実行させることにより、マイクロコンピュータを、ＲＦ処理部２０、信号処理部３０、表示装置４０、制御部５０、操作部１１、パラメータファイル記憶部１２として機能させるようになっている。このスペクトラムアナライザ１０は、測定装置の一例である。
【００２３】
ＲＦ処理部２０は、信号混合器２１、局部発振器２２、掃引制御部２３、フィルタ２４を備え、無線周波数のアナログ信号である被測定信号を入力し所定の周波数に周波数変換するものである。
【００２４】
なお、被測定信号としては、例えば、ＬＴＥ（Long Term Evolution）、Ｗ−ＣＤＭＡ（Wideband Code Division Multiple Access）、ＧＳＭ（登録商標）（Global System for Mobile Communications）、ＣＤＭＡ２０００（Code Division Multiple Access 2000）、無線ＬＡＮ通信システム、近距離無線通信システムＢｌｕｅｔｏｏｔｈ（登録商標）等の各無線通信方式に従った無線信号である。
【００２５】
信号混合器２１は、入力する被測定信号と局部発振器２２からの局部発振信号とを混合し、フィルタ２４に出力するようになっている。
【００２６】
局部発振器２２は、指定された周波数帯域で掃引可能な局部発振周波数を有する局部発振信号を発振し、その局部発振信号を信号混合器２１に出力するようになっている。
【００２７】
掃引制御部２３は、局部発振器２２に対して、操作部１１をユーザが操作することによって指定された基準周波数、掃引幅、取得サンプル数等に応じて局部発振信号の周波数を所定ステップで掃引させるようになっている。
【００２８】
フィルタ２４は、被測定信号と局部発振信号との差又は和の周波数成分のうち、例えば差の周波数成分を含む中間周波数信号を抽出するようになっている。
【００２９】
信号処理部３０は、検波器３１、ＡＤＣ（アナログデジタルコンバータ）３２、信号解析部３３を備え、制御部５０からの制御信号に基づいて動作するようになっている。
【００３０】
検波器３１は、フィルタ２４によって抽出された信号を検波して出力するようになっている。検波方式としては、測定期間中の最大値（ポジティブピーク）をピークホールドしトレースするポジティブピーク検波方式、最小値（ネガティブピーク）をピークホールドしトレースするネガティブピーク検波方式、ポジティブピーク及びネガティブピークの両方をトレースするサンプル検波方式等が用いられる。
【００３１】
ＡＤＣ３２は、検波器３１が出力するアナログ値の中間周波数信号を所定のサンプリング時刻ごとにサンプリングすることによりデジタル値の信号に変換して信号解析部３３に出力するようになっている。
【００３２】
信号解析部３３は、ＡＤＣ３２の出力信号に対し、制御部５０からの制御信号に基づいて所定の解析を行うようになっている。例えば、信号解析部３３は、解析対象がＬＴＥのデータであった場合には、データの各フレームに含まれるサブフレームごとに周波数、レベル、ＥＶＭ等を求めるものである。
【００３３】
表示装置４０は、表示制御部４１及び表示部４２を備え、制御部５０からの制御信号に基づいて動作するようになっている。この表示装置４０は、パラメータファイル表示手段の一例である。
【００３４】
表示制御部４１は、表示部４２に表示する情報の表示制御を行うようになっている。表示部４２は、表示制御部４１の表示制御に基づいて、後述するパラメータファイルの一覧や、所定の情報を表示するようになっている。
【００３５】
操作部１１は、被測定信号を測定する測定項目や測定条件、判定条件等を設定するためユーザが操作するものである。例えば、操作部１１は、各種条件を設定するための設定画面を表示するディスプレイや、キーボード、ダイヤル又はマウスのような入力デバイス、これらを制御する制御回路やソフトウェア等で構成され、各測定項目や測定条件の入力や、表示部４２の表示内容を設定するものである。
【００３６】
また、操作部１１は、パラメータファイル選択部１１ａを備えている。パラメータファイル選択部１１ａは、表示部４２に表示されたパラメータファイルの一覧から１つのパラメータファイルを選択するものである。このパラメータファイル選択部１１ａは、例えば、マウスやタッチパネル等で構成され、パラメータファイル選択手段の一例である。
【００３７】
パラメータファイル記憶部１２は、例えばハードディスクドライブで構成され、測定条件を定めるパラメータが登録された少なくとも１つのパラメータファイルを記憶するものである。このパラメータファイル記憶部１２は、パラメータファイル記憶手段の一例である。
【００３８】
ここで、パラメータファイルは、測定条件を定めるパラメータが登録されたファイルである。例えば、レベル（電力）測定の測定条件が定められたパラメータファイルには、横軸を周波数軸、縦軸をレベル軸、被測定信号の無線通信方式、横軸の周波数スパン、横軸中央の周波数を設定する中心周波数、分解能、検波方式等を定めるパラメータが登録されている。また、例えば、ＥＶＭ測定の測定条件が定められたパラメータファイルには、被測定信号の無線通信方式、周波数、レベル、ＥＶＭ測定用のテストパターン等を定めるパラメータが登録されている。なお、例えば、無線通信方式ＬＴＥにおけるＥＶＭ測定用のテストパターンは、「3GPP TS 36.521-1 6.5.2.1A」に規定されている。
【００３９】
制御部５０は、操作部１１によって入力された各種情報をスペクトラムアナライザ１０の各部に設定するようになっている。この制御部５０は、起動判断部５１、起動処理部５２、パラメータ処理部５３を備えている。
【００４０】
起動判断部５１は、例えば、スペクトラムアナライザ１０の電源投入やリセット動作を検出し、スペクトラムアナライザ１０が起動されたか否かを判断するようになっている。例えば、スペクトラムアナライザ１０の電源オンを検知する電源オン検知センサや、スペクトラムアナライザ１０が動作中にリセットされたときに出力されるリセット信号を検出するリセット信号検出センサを用意することにより、起動判断部５１は、電源オン検知センサやリセット信号検出センサの検出信号によりスペクトラムアナライザ１０が起動されたか否かを判断することができる。
【００４１】
起動処理部５２は、起動判断部５１によりスペクトラムアナライザ１０が起動されたと判断された場合には、所定の起動処理を実行するようになっている。所定の起動処理としては、例えば、スペクトラムアナライザ１０が正常に動作を行うことができるか否かを自ら診断する自己診断処理や、所定のファイルを記憶装置（図示省略）から読み出す処理等がある。なお、起動処理部５２は、起動処理実行手段の一例である。
【００４２】
また、起動処理部５２は、起動処理の実行中に、起動処理の実行中であることを示す起動画面の表示制御を表示制御部４１に行わせるようになっている。その結果、起動処理の実行中には、起動画面が表示部４２に表示される。
【００４３】
パラメータ処理部５３は、起動判断部５１によりスペクトラムアナライザ１０が起動されたと判断された場合には、起動処理部５２による起動処理の実行中に、換言すれば、起動画面が表示部４２に表示されている期間中に、パラメータファイル記憶部１２からパラメータファイルを読み出すようになっている。
【００４４】
また、パラメータ処理部５３は、読み出したパラメータファイル及び起動画面のデータを表示制御部４１に出力し、パラメータファイルの一覧の表示制御を表示制御部４１に行わせるようになっている。その結果、起動処理の実行中には、起動画面と、その起動画面に含まれたパラメータファイルの一覧が表示部４２に表示される。このパラメータファイルの一覧は、例えば表形式で表示部４２に表示される。
【００４５】
また、パラメータ処理部５３は、起動処理の実行中に、操作部１１のパラメータファイル選択部１１ａによって選択されたパラメータファイルに登録されたパラメータをスペクトラムアナライザ１０の各部に設定するようになっている。このパラメータ処理部５３は、パラメータ設定手段の一例である。
【００４６】
次に、起動処理の実行中に表示される起動画面の一例について図２を用いて説明する。
【００４７】
図２には、「Ｉｎｉｔｉａｌｉｚｉｎｇ・・・」と表示された起動画面６０が示されている。起動画面６０には、パラメータファイルの一覧７０が表示されている。パラメータファイルの一覧７０は、パラメータファイルのファイル名を示す「Ｎａｍｅ」欄と、パラメータファイルの説明が記載された「Ｄｅｓｃｒｉｐｔｉｏｎ」欄と、パラメータファイルが保存された日時を示す「Ｄａｔｅ」欄と、パラメータファイルを選択するための画面操作のアイコン７１、７２及び７３が示されている。
【００４８】
例えば、ファイル名「Ｕｓｅｒ１」のパラメータファイルには、その説明として「ＬＴＥ  ＦＤＤ  ＤＬ」と記載されている。これは、無線通信方式ＬＴＥにおいて、周波数分割双方向通信（ＦＤＤ）方式で基地局から移動端末へのダウンリンク（ＤＬ)における測定を行うためのパラメータが登録されていることを示す一例である。
【００４９】
制御部５０は、例えば、操作部１１に設けられたマウス（図示省略）をユーザに操作させることにより、パラメータファイルの一覧７０に含まれるいずれか１つのパラメータファイルをユーザに選択させるようになっている。
【００５０】
次に、本実施形態におけるスペクトラムアナライザ１０の動作について図３を用いて説明する。
【００５１】
起動判断部５１は、スペクトラムアナライザ１０が起動されたか否かを判断する（ステップＳ１１）。
【００５２】
ステップＳ１１において、スペクトラムアナライザ１０が起動されたと判断されなかった場合にはステップＳ１１を繰り返す。一方、ステップＳ１１において、スペクトラムアナライザ１０が起動されたと判断された場合には、起動判断部５１は、その旨をパラメータ処理部５３に通知し、変数ｉに０を代入し初期化する（ステップＳ１２）。なお、変数ｉは、所定のパラメータがスペクトラムアナライザ１０に設定されたか否かを判断するための変数である。
【００５３】
パラメータ処理部５３は、パラメータファイル記憶部１２からパラメータファイルを読み出す（ステップＳ１３）。
【００５４】
パラメータ処理部５３は、変数ｉ＝１であるか否かを判断する（ステップＳ１４）。
【００５５】
ステップＳ１４において、変数ｉ＝１であると判断されなかった場合には、パラメータ処理部５３は、パラメータファイルの一覧７０を起動画面６０（図２参照）に表示する表示制御を表示制御部４１に行わせる（ステップＳ１５）。
【００５６】
パラメータ処理部５３は、操作部１１のパラメータファイル選択部１１ａによってパラメータファイルの一覧からパラメータファイルが選択されたか否かを判断する（ステップＳ１６）。
【００５７】
ステップＳ１６において、パラメータファイルが選択されたと判断された場合には、パラメータ処理部５３は、選択されたパラメータファイルに登録されたパラメータ（以下「選択パラメータ」という）をスペクトラムアナライザ１０の各部に設定する（ステップＳ１７）。
【００５８】
一方、ステップＳ１６において、パラメータファイルが選択されたと判断されなかった場合には、パラメータ処理部５３は、予め既定値として定められたパラメータ（以下「既定パラメータ」という）をスペクトラムアナライザ１０の各部に設定する（ステップＳ１８）。なお、既定パラメータの例としては、工場出荷時のパラメータや、直近の電源オフ時に設定されていたパラメータ等がある。
【００５９】
ステップＳ１７又はＳ１８の処理後、パラメータ処理部５３は、変数ｉに１を代入する（ステップＳ１９）。
【００６０】
前述のステップＳ１４において変数ｉ＝１であると判断された場合、又はステップＳ１９の処理を終えた場合には、起動処理部５２は、所定の起動処理を実行する（ステップＳ２０）。
【００６１】
起動処理部５２は、所定の起動処理が終了したか否かを判断する（ステップＳ２１）。
【００６２】
ステップＳ２１において、所定の起動処理が終了したと判断された場合には、ステップＳ１７で設定された選択パラメータ、又はステップＳ１８で設定された既定パラメータによる測定が実施可能となる（ステップＳ２２）。
【００６３】
一方、ステップＳ２１において、所定の起動処理が終了したと判断されなかった場合には、ステップＳ１４に戻る。
【００６４】
以上のように、本実施形態におけるスペクトラムアナライザ１０は、起動処理の実行中に、表示されたパラメータファイルの一覧７０から１つのパラメータファイルを選択させ、選択されたパラメータファイルに登録されたパラメータを起動処理の実行中に設定するので、ユーザが所望する測定条件での測定を起動後すぐに開始させることができる。
【産業上の利用可能性】
【００６５】
以上のように、本発明に係る測定装置及び測定方法は、ユーザが所望する測定条件での測定を起動後すぐに開始させることができるという効果を有し、所定の通信規格に基づいて信号を測定する測定装置及び測定方法として有用である。
【符号の説明】
【００６６】
１０  スペクトラムアナライザ（測定装置）
１１  操作部
１１ａ  パラメータファイル選択部（パラメータファイル選択手段）
１２  パラメータファイル記憶部（パラメータファイル記憶手段）
４０  表示装置（パラメータファイル表示手段）
４１  表示制御部
４２  表示部
５２  起動処理部（起動処理実行手段）
５３  パラメータ処理部（パラメータ設定手段）
６０  起動画面
７０  パラメータファイルの一覧
【図１】
2018004481.tif 000003
【図２】
2018004481.tif 000004
【図３】
2018004481.tif 000005